(57)【特許請求の範囲】
【請求項１】
建物開口部を昇降することで開閉するスラットカーテンの上縁と該スラットカーテンを巻き取る巻取ドラムとを連結するスラットカーテンの巻取部連結構造において、
前記スラットカーテンの上縁に連結され、該スラットカーテンの幅方向に長尺なスリット状の長孔（５）を有した吊元スラット（２）と、
長手方向一端が巻取ドラムの外周に固定され、該巻取ドラムに巻回されるとともに、前記吊元スラット（２）の長孔（５）に挿通される可撓性を有した短冊状の帯部（７）を有し、該帯部（７）の長手方向他端に折曲形成され、該帯部（７）の長手方向と直交する幅方向に前記長孔（５）より長尺な幅長となって延出形成され、前記吊元スラット（２）の長孔（５）の裏面の縁部に当接する係合片（１０）が形成された吊バンド（６）と、
を具備し、前記吊バンド（６）の帯部（７）の前記他端には、係合部（９）が、帯部（７）と同幅長の板厚逃げ部（１１）を介して帯部（７）に対して直角に折曲形成され、この係合部（９）には、吊元スラット（２）の裏面側の外形状に沿うように、帯部（７）に対する係合部（９）の前記折曲方向と略反対の方向に前記係合片（１０）が略ヘ字状に湾曲形成されていることを特徴とするスラットカーテンの巻取部連結構造。
【発明の詳細な説明】
【０００１】
【産業上の利用分野】
本発明は、建物開口部を昇降することで開閉するスラットカーテンの上縁と、このスラットカーテンを巻き取る巻取ドラムとを連結するスラットカーテンの巻取部連結構造に関するものである。
【０００２】
【従来の技術】
スラットカーテンを構成する各スラットの上縁の連結部分に、スリット孔が多数穿設されて、スラットカーテンの降下中及び降下停止時に、各スリットが表出するように構成され、また全閉時には各スリットが下縁連結部内に隠れ、遮光閉鎖が行われる、換気，採光の機能を有したシャッター装置は、駆動源であるモータのリミットズレの吸収と、スラットカーテンの巻取状態を考慮して、スラットカーテンを巻き取る巻取ドラムとスラットカーテンの上端との間に介設される吊元部材を、吊元スラットと吊バンドとで構成している。
【０００３】
従来、この吊元部材は、図４に示すように、可撓性を有する鋼板よりなる帯状の吊バンド３０の一端３０ａを、吊元スラット３１に形成したスリット孔３２に挿通し、この一端３０ａを折曲して、吊バンド３０の端部の面同士を重ね、溶接にて固定した構造や、図５に示すように、吊バンド４０の一端４０ａを吊元スラット４１の上縁にリベット４２などの固定部材を用いて互いを固定した構造とされており、それぞれ吊バンド３０，４０の他端３０ｂ，４０ｂを巻取ドラム５０に固定し、吊元スラット３１，４１をスラットカーテン５１の上端に連結させるようになっていた。
【０００４】
【発明が解決しようとする課題】
しかしながら、上述した従来の吊元部材によるスラットカーテン５１と巻取ドラム５０との連結構造では、前者の構造によれば、吊元スラット３１に吊バンド３０を溶接にて固定させてしまうために、スラットカーテン５１のスラット表面を傷つけないために施される吊バンド３０の樹脂コーティングが、吊バンド３０のみではなく、吊元スラット３１も含めてコーティング処理が施されてしまうこととなり、無駄が多いという欠点がある。
【０００５】
また、後者の構造によれば、吊元スラット４１と吊バンド４０との固定がリベット４２によるため、吊バンド４０に穿孔が施されることとなり、これにより吊バンド４０の強度が低下する恐れがあり、繰り返し使用する場合に信頼性が十分でない欠点がある。
【０００６】
さらに、このリベット４２の表出する頭部が、スラットカーテン５１を巻き取る際に、この吊元部材の外周に位置するスラットを傷つけてしまうという問題がある。
【０００７】
また、両者共に、吊バンド３０の溶接工程や、リベット４２のかしめ作業など、組立作業工程が多くなり煩雑になるという欠点があるとともに、組立工数が多く固定部材が必要であることから、廉価に製作が行えないという欠点がある。
【０００８】
そこで本発明は、上記問題点を解消するために、簡素な構造で確実に連結が行えるとともに、容易に連結作業を行え、巻き取り時に他のスラットを損傷させることのないスラットカーテンの巻取部連結構造を提供することを目的としている。
【０００９】
【課題を解決するための手段】
次に、上記の目的を達成するための手段を、実施例に対応する図面を参照して説明する。
この発明のスラットカーテンの巻取部連結構造１は、建物開口部を昇降することで開閉するスラットカーテン１５の上縁と該スラットカーテン１５を巻き取る巻取ドラム２０とを連結するスラットカーテンの巻取部連結構造において、
前記スラットカーテン１５の上縁に連結され、該スラットカーテン１５の幅方向に長尺なスリット状の長孔５を有した吊元スラット２と、
長手方向一端７ａが巻取ドラム２０の外周２１ａに固定され、該巻取ドラム２０に巻回されるとともに、前記吊元スラット２の長孔５に挿通される可撓性を有した短冊状の帯部７を有し、該帯部７の長手方向他端７ｂに形成され、該帯部の長手方向と直交する幅方向に前記長孔５より長尺な幅長となって延出形成され、前記吊元スラット２の長孔５の裏面の縁部５ａに当接する係合片１０が折曲形成された吊バンド６と、
を具備し、前記吊バンド６の帯部７の前記他端には、係合部９が、帯部７と同幅長の板厚逃げ部１１を介して帯部７に対して直角に折曲形成され、この係合部９には、吊元スラット２の裏面側の外形状に沿うように、帯部７に対する係合部９の前記折曲方向と略反対の方向に前記係合片１０が略ヘ字状に湾曲形成されていることを特徴としている。
【００１０】
【作用】
吊元スラット２のスリット状の長孔５に、吊バンド６の帯部７が挿通され、この吊バンド６の係合片１０が長孔５の縁部に当接することで、この吊バンド６と吊元スラット２とが連結される。
そして、吊元スラット２はスラットカーテン１５の上縁に連結され、吊バンド６は巻取ドラム２０の外周２１ａに固定されて、これらスラットカーテン１５と巻取ドラム２０とが連結される。
【００１１】
【実施例】
図１は本発明によるスラットカーテンの巻取部連結構造の一実施例を示す斜視図、同実施例による巻取部連結構造の分解斜視図である。
【００１２】
本実施例のスラットカーテンの巻取部連結構造１は、吊元スラット２と、吊バンド６とで大略構成されている。
【００１３】
吊元スラット２は、図１に示すように、スラットカーテン１５を構成するスラット１６より幅方向の長さが短尺に形成され、図２に示すように、本体２ａは、中空な上下に縦長の略角パイプ形状に形成されるとともに、上面２ｂが傾斜し裏面２ｃが凹曲面状に形成され、また、上縁に略Ｌ字状の連結部３が上面２ｂに対して垂直に延出形成され、下縁にスラットカーテン１５の上縁に位置するスラット１６の上部連結片１７が係合する凹溝４が形成されている。
【００１４】
また、この吊元スラット２の上縁の連結部３の略中央で、吊元スラット本体２ａに近接した位置には、スラットカーテン１５の幅方向に長尺なスリット状の長孔５が穿設されている。なおこの長孔５は、本実施例では長手方向両端部が半円状に形成されている。
【００１５】
次に、吊バンド６は、可撓性を有するステンレスバネ鋼よりなるとともに、全面に、摩擦抵抗が少なく、この摩擦による熱に対して変質が起こりにくい樹脂、例えばナイロン樹脂などの熱可塑性樹脂が、加熱溶着などの手段にて被覆形成され、帯部７と係合部９とで構成されて略短冊帯状に形成されている。
【００１６】
この吊バンド６の帯部７は、前記吊元スラット２の長孔５の長さよりやや短い幅長に設定されて形成されるとともに、長手方向一端７ａがやや細幅に形成され、端部に取付孔８が穿設されている。
【００１７】
また、帯部７の長手方向他端７ｂには、図２に示すように、係合部９が形成されており、帯部７の長手方向と直交する幅方向にそれぞれ延出する一対の矩形な係合片１０が形成され、そして、この係合片１０と帯部７とで略Ｔ字状に形成されている。
【００１８】
これら係合片１０の先端間の長さは、帯部７の幅長より長く、吊元スラット２の長孔５より長尺な幅長に設定され形成されている。
【００１９】
なお、本実施例の吊バンド６は、図２に示すように、係合部９が、帯部７に対して直角に設けられており、この係合部９には、帯部７と同幅長の板厚逃げ部１１が形成され、この板厚逃げ部１１を介して係合片１０がそれぞれ形成されており、また、帯部７に対する係合部９の折曲方向と略反対の方向に両係合片１０のみが略ヘ字状に湾曲形成されており、吊元スラット２の裏面２ｃ側の外形状に沿うように形成されている。
【００２０】
そして、この吊バンド６は、帯部７の長手方向一端側７ａから、吊元スラット２の裏面２ｃより吊元スラット２の長孔５に挿通され（図２中矢線）、長孔５の長手方向両縁部５ａに係合部９の各係合片１０が当接し、これによって吊元スラット２と吊バンド６とが連結状態となる。
【００２１】
この連結状態においては、係合片１０の湾曲面の内側が吊元スラット２の裏面側２ｃに接触し、係合部９の板厚逃げ部１１が吊元スラット２の長孔５に位置し、帯部７の他端７ｂの一方の面７ｃが吊元スラット２の上縁の連結部３外側面に接触状態となる。
【００２２】
そして、吊バンド６の長手方向一端７ａは、巻取ドラム２０を構成するホイル２１の外周２１ａに、端部の取付孔８を介してボルトやネジなどの固定手段２２にて固定され、また、吊元スラット２は、下縁の凹溝４にスラットカーテン１５の上縁に位置するスラット１６の上部連結片１７が係合される。
【００２３】
なお、この吊元スラット２及び吊バンド６にて構成される連結構造１は、スラットカーテン１５の幅長に対して、例えばスラットカーテン１５の幅長が１８００ｍｍの場合、スラットカーテン１５の上縁のスラット１６の左右両端部及び略中間部にそれぞれ等間隔となって設けられるようになっており、左右両端に位置する吊元スラット２とスラット１６の上縁とがかしめなどの手段でスラットカーテン１５の幅方向に吊元スラット２が移動しないように連結されるようになっている。
【００２４】
従ってこのように構成されたスラットカーテンの巻取部連結構造１では、巻取ドラム２０にこの連結構造１が巻回される際に、吊バンド６が巻取ドラム２０のホイル２１に約３／４周巻回されて吊元スラット２がホイル２１外周に巻き取られ、そしてスラットカーテン１５が順次巻き取られる。
【００２５】
このとき、吊バンド６は吊元スラット２の裏面２ｃから挿着されているので、この吊バンド６の帯部７が吊元スラット２の上縁連結部３の外側面側から巻取ドラム２０側へ押さえるようになり、この吊元スラット２の浮きあがりを防止するとともに、巻き取られるスラットカーテン１５の巻き径を不規則にしない。
【００２６】
また、この巻取部連結構造１では、吊バンド６と吊元スラット２との結合状態が固定部材などを介さないとともに、互いを固定せずに、係合状態のみであり、吊バンド６に対して吊元スラット２が吊下状態とされている。
【００２７】
これにより、この連結構造１を組み立てる作業が大幅に簡素化されるとともに、固定部材などの部品を必要とせずに連結構造を構成でき、また、吊バンド６と吊元スラット２との結合状態は、互いが固定されてなく脱着が可能となる構成であるので、吊バンド６の交換などメンテナンスなどの作業も容易に行うことが可能となる。
【００２８】
また、固定部材などの部品がないことから、巻き取り時に他のスラット１６に対して損傷させることがない。
【００２９】
さらに、この連結構造１によれば、スラットカーテン１５を巻き戻し降下させて、閉鎖状態とする際に、降下動作が全閉後に停止しなかった場合、巻取ドラム２０が回転を続けるが、吊元スラット２に対して吊バンド６が固定されていないことから、この連結部分１に負荷が加わることがなくなり、損傷などが発生しない。
【００３０】
なお、上述した実施例では、吊元スラット２に対して吊バンド６を、吊元スラット２の裏面２ｃから挿着させる例について述べたが、表面側から挿着させる構成としてもよく、この場合も上記実施例と同様に吊元スラット２の外形状に沿わせた形状に形成させる。
【００３１】
また、上記実施例では、吊元スラット２の長孔５の形状が、長手方向の両端の形状を半円形状とした例について述べたが、これに限定されることはなく、矩形状や三角形状などとしてもよく、また、吊バンド６の係合片１０の形状についても特に限定されるものではない。
【００３２】
さらに、上述した実施例では、吊元スラット２に対して、吊バンド６を１つ設ける構成としたが、１つの吊元スラット２に対して複数の吊バンド６を設ける構成としてもよい。
この場合、吊下状態の強度が向上し、吊下荷重が大きく設定できるので、例えばスラットカーテン１５の上下方向の長さが長尺となった場合などに良好となる。
【００３３】
また、上述した実施例では、吊元スラット２の形状が中空角パイプ状に形成されている例について述べたが、この形状に限定されることはなく、一枚板にて形成されるスラットと略同形状に形成されている吊元スラットや、スラットカーテン１５の最上縁に位置するスラットを吊元スラットとして構成させたものなどでもよい。
【００３４】
【発明の効果】
以上説明したように本発明によるスラットカーテンの巻取部連結構造では、吊バンドと吊元スラットとの結合状態が固定部材などを介さないとともに、互いを固定せずに、係合状態のみであり、吊バンドに対して吊元スラットが吊下状態とされているので、この連結構造を組み立てる作業が大幅に簡素化されるという効果がある。
【００３５】
また、固定部材などの部品を必要とせずに連結構造を構成でき、また、吊バンドと吊元スラットとの結合状態が、互いが固定されてなく脱着が可能となる構成であるので、吊バンドの交換が可能となり、メンテナンスなどの作業も容易に行うことが可能となるという効果がある。
【００３６】
また、固定部材など突出した部品がないことから、スラットカーテンの巻き取り時に他のスラットを損傷させることがないという効果がある。
【００３７】
さらに、この連結構造によれば、スラットカーテンを巻き戻し降下させて、シャッターを閉鎖状態とする際に、降下動作が全閉後に停止せず巻取ドラムが巻き戻し方向に回転を続けた場合、吊元スラットに対して吊バンドが固定されていないことから、この連結部分に負荷が加わることがなくなり、損傷などが発生しないという効果がある。
【図面の簡単な説明】
【図１】本発明によるスラットカーテンの巻取部連結構造の一実施例を示す斜視図
【図２】同実施例による巻取部連結構造の分解斜視図
【図３】（ａ）同実施例による巻取部連結構造の側断面図
（ｂ）同実施例による巻取部連結構造の背面図
【図４】従来の技術による巻取部連結構造の側断面図
【図５】従来の技術による巻取部連結構造の側断面図
【符号の説明】
１…連結構造
２…吊元スラット
５…長孔
５ａ…縁部
６…吊バンド
７…帯部
７ａ…一端
７ｂ…他端
１０…係合片
１５…スラットカーテン
２０…巻取ドラム
２１ａ…外周
【図１】
0003596094.tif 000002
【図２】
0003596094.tif 000003
【図３】
0003596094.tif 000004
【図４】
0003596094.tif 000005
【図５】
0003596094.tif 000006